(57)【要約】【課題】  円筒もしくは円錐台部分を備えた処理対象物の必要な回転数を維持し、処理対象物に付着した水分や塵埃を完全に吹き飛ばすことができる除水または除塵装置を提供する。【解決手段】  円筒もしくは円錐台部分を備えた処理対象物Ｓを搬送するための搬送手段上の回転用ガイド３に、上記処理対象物Ｓを接触させることによって、上記処理対象物Ｓに回転力を付与する構成にした除水または除塵装置を前提にしている。上記回転用ガイド３に対して上記処理対象物Ｓを挟んで平行に復帰用ガイド１７を設け、これら回転用ガイド３と復帰用ガイド１７との間隔は、上記処理対象物Ｓの直径よりもわずかな大きさが保持される。【選択図】  図１
2019025386.tif 000002
【特許請求の範囲】
【請求項１】
円筒もしくは円錐台部分を備えた処理対象物を載置して、それを搬送するための搬送手段と、
この搬送手段上において、搬送手段の搬送方向に対して斜めにした回転用ガイドと、
上記回転用ガイドに沿うとともに、上記処理対象物の側面に圧縮エアを吹きつける複数のノズルとを備え、
上記搬送手段で搬送される上記処理対象物が上記回転用ガイドに接触することによって、上記搬送手段の搬送力と、上記回転用ガイドに対する上記処理対象物の摩擦力とが相まって、上記処理対象物に回転力を付与する構成にした除水または除塵装置であって、
上記搬送手段上において、上記回転用ガイドに対して上記処理対象物を挟んで平行にした復帰用ガイドを設け、
これら回転用ガイドと復帰用ガイドとの間隔は、上記処理対象物の直径よりもわずかな大きさが保持された除水または除塵装置。
【請求項２】
載置エリアと処理エリアとを設け、上記載置エリアに載置した円筒もしくは円錐台部分を備えた処理対象物を上記処理エリアに搬送する搬送手段と、
この処理エリア上において、搬送手段の搬送方向に対して斜めに配置した回転用ガイドと、
上記回転用ガイドに沿うとともに、上記処理対象物の側面に圧縮エアを吹きつける複数のノズルとを備え、
上記搬送手段で搬送される上記処理対象物が上記回転用ガイドに接触することによって、上記搬送手段の搬送力と、上記回転用ガイドと上記処理対象物の摩擦力とが相まって、上記処理対象物に回転力を付与する構成にした除水または除塵装置であって、
上記載置エリアには、上記処理対象物を上記載置エリアから上記処理エリアに向かって導く一対の集束用ガイドを設け、
上記一対の集束用ガイドは、搬送手段の移動方向の最上流における対向間隔を上記処理対象物の複数の直径以上にするとともに、下流側の対向間隔を狭くし、
上記処理対象物が上記載置エリアの上記集束用ガイドの下流端を通過したとき、上記処理対象物が上記回転用ガイドに接触して回転する構成にした除水または除塵装置。
【請求項３】
上記回転用ガイドには、上記処理対象物との接触部分に摩擦力を上げる摩擦部材が設けられた請求項１または請求項２に記載の除水または除塵装置。
【発明の詳細な説明】
【技術分野】
【０００１】
この発明は、筒状の容器の外周に付着した水分や塵埃を圧縮エアで吹き飛ばすときに、上記容器を回転させて、この容器全体に圧縮エアを吹きつける除水または除塵装置に関する。
【背景技術】
【０００２】
この種のものとして、特許文献１に記載された除水装置が知られている。
この除水装置は、缶やビンなどの円筒もしくは円錐台部分を備えた処理対象物Ｓの搬送過程で、上記処理対象物Ｓの表面の水分を吹き飛ばすための装置である。
図４は従来の除水装置の斜視図である。また、図５は従来の除水装置において、後述する第２噴射ユニット７を取り外した状態であって、ネットコンベア１の表面２上方側から見た平面図である。
【０００３】
上記装置は、プラントの機械と機械との間に設けられる。この装置を使用する除水処理は、処理対象物Ｓの洗浄後などで、次の製造工程に受け渡す際に使用される。
従来の装置の導入前は、複数の作業員がプラントの製造工程の途中で処理対象物Ｓを取り出し、布で水分を拭き取ったり、エアで水分を吹き飛ばしたりして、手作業で除水処理を行っていた。そのため、除水処理は手間がかかる作業だった。
そこで、上記装置は、上記のような手間がかかる作業を解消するために導入され、プラントの作業工程の途中に組み込まれることが多い。
【０００４】
このような従来の装置は、図５に示すように、ネットコンベア１の表面２上方に処理対象物Ｓを回転させる回転用ガイド３が設けられている。そして、この回転用ガイド３は、ネットコンベア１の搬送方向に対して斜めに交差させている。
上記ネットコンベア１の搬送方向の上流側に置かれた処理対象物Ｓは、ネットコンベア１に搬送されて回転用ガイド３に接触し、接触後は回転用ガイド３に沿って下流側に搬送される。
【０００５】
上記処理対象物Ｓが回転用ガイド３に接触すると、ネットコンベア１の搬送力によって、処理対象物Ｓが回転用ガイド３に押し付けられる。この押し付けられた部分では、処理対象物Ｓと回転用ガイド３との間に摩擦力が生じる。その結果、上記ネットコンベア１の搬送力と、上記回転用ガイド３に対する処理対象物Ｓの摩擦力とが相まって、処理対象物Ｓが回転しながら回転用ガイド３に沿って搬送される。
そして、回転しながら搬送される処理対象物Ｓには、その搬送経路の両側から圧縮エアが吹きかけられ、除水処理が行われる。
【０００６】
このような除水処理では、除水処理のムラを無くすために、処理対象物Ｓの側面全体に、少なくとも１回は圧縮エアが当たるようにしていた。
しかし、従来の装置では、ネットコンベア１の搬送途中におけるちょっとした振動や上記圧縮エアの圧力作用で、処理対象物Ｓが回転用ガイド３から離れてしまう場合があった。
【０００７】
例えば、ネットコンベア１で搬送される処理対象物Ｓは、その下部へも圧縮エアが当てられるように、ネットコンベア１は編み目の粗い無端ベルトが利用されている。このネットコンベア１の表面２は凹凸が激しく、この表面２を処理対象物Ｓが回転しながら搬送されるので、処理対象物Ｓは不安定な状況に置かれる。加えて、回転用ガイド３に沿った搬送経路の両側から圧縮エアが不規則に吹きかけられるので、上記処理対象物Ｓが容易に回転ガイド３から離れてしまうことがあった。
このように、処理対象物Ｓが回転用ガイド３から離れてしまうと、無回転のままネットコンベア１の搬送方向に搬送されてしまう。
【０００８】
図６は、処理対象物Ｓが、回転用ガイド３から離れたときの搬送状況を示した概略図である。この図に示すように、例えば、ネットコンベア１の搬送方向に対して回転用ガイド３を配置する傾斜角θが小さければ、回転用ガイド３から離れた距離が小さくても、処理対象物Ｓが無回転で搬送される距離Ｌは相対的に大きくなってしまう。つまり、処理対象物Ｓが回転用ガイド３から幅方向に少しでも離れると、処理対象物Ｓが無回転のまま搬送される距離Ｌが長くなる。
このように無回転で搬送される距離Ｌが長くなると、処理対象物Ｓに圧縮エアが当たらない部分が生じてしまう。
【０００９】
また、実際の装置では、除水処理をする距離は限られているので、処理対象物Ｓに必要な回転数を確保するためには、処理対象物Ｓが回転用ガイド３に接触するスタート位置を正確に定める必要があった。そのために、作業者が一つ一つ手作業で処理対象物Ｓを決められたスタート位置に置いていた。
【００１０】
次に、従来の除水装置の構成を説明する。
この装置は、図４に示すように、基台４にネットコンベア１を設けている。このネットコンベア１の表面２上方には、上記したように、処理対象物Ｓをその搬送経路に沿って誘導する回転用ガイド３が設けられている。
【００１１】
また、この基台４には、ネットコンベア１の下方から上記表面２に向かって圧縮エアを噴射する第1噴射ユニット５が組み込まれている。
この第１噴射ユニット５には、図５に示すように、複数の下側ノズル６が備えられており、これら下側ノズル６は、上記した回転用ガイド３によって誘導される移動方向に沿って整列している。
【００１２】
さらに、図４に示すように、上記基台４には、この基台４に対して開閉可能にした第２噴射ユニット７が設けられている。
この第２噴射ユニット７を基台４に対して閉じたとき、ネットコンベア１の表面２と第２噴射ユニット７の天井面８とが対向する。この天井面８には、ネットコンベア１の上方から圧縮エアを噴射する複数の上側ノズル９が設けられている。これら複数の上側ノズル９と複数の上記下側ノズル６とは、上下において対向し、処理対象物Ｓの搬送経路に沿って設けられる。
【００１３】
また、上記天井面８からは、上側ノズル９とは別の横方向ノズル１０が設けられている。この横方向ノズル１０は回転用ガイド３とほぼ平行であって、搬送される処理対象物Ｓを挟むように搬送経路の両側に取り付けられている。そして、横方向ノズル１０の開口が搬送経路に向けられている。
【００１４】
なお、上記下側ノズル６，上側ノズル９，及び横方向ノズル１０は、それらの開口を処理対象物Ｓに直接向けるストレートノズルと、圧縮エアが供給されたとき開口を自動的に回転させるスピンノズルとが組み合わされて使用される。ただし、処理対象物Ｓの形状などによっては、上記スピンノズルのみを使用してもよい。
【００１５】
このような装置のネットコンベア１上に、処理対象物Ｓを回転用ガイド３に接触させるように載せると、上記処理対象物Ｓは、回転しながら回転用ガイド３が導く移動方向に搬送される。このとき、上記ネットコンベア１の搬送力と、上記回転用ガイド３に対する処理対象物Ｓの摩擦力とが相まって、処理対象物Ｓが回転させられる。
そして、上記下側ノズル６，上側ノズル９，横方向ノズル１０から噴射される圧縮エアが、回転する処理対象物Ｓの上下面あるいは側面全部に当たって、その表面に付着している水分を吹き飛ばすようにしている。
【先行技術文献】
【特許文献】
【００１６】
【特許文献１】特開平１０−２３８９４６号公報
【発明の概要】
【発明が解決しようとする課題】
【００１７】
従来の装置では、わずかな力の作用で回転用ガイド３から上記処理対象物Ｓが離れてしまうことがあった。上記処理対象物Ｓが回転用ガイド３から離れてしまうと、無回転のままネットコンベア１の搬送方向に搬送されてしまい、処理対象物Ｓの必要な回転数が得られない。
したがって、処理対象物Ｓに圧縮エアが当たらない部分が生じ、除水または除塵処理にムラができてしまう。
【００１８】
また、プラントの作業工程の途中で、作業者が処理対象物Ｓを一つ一つ手作業で置いていたので、作業者の労力が大きかった。そして、このような作業者の労力にもかかわらず、上記回転用ガイド３の上記スタート位置に置かれない場合があった。上記処理対象物Ｓが上記スタート位置に置かれなければ、上記処理対象物Ｓの必要な回転数が得られず、圧縮エアが当たらない部分が生じて除水または除塵処理にムラができる。
【００１９】
この発明の目的は、処理対象物の必要な回転数を維持し、処理対象物に付着した水分や塵埃を完全に吹き飛ばすことができる除水または除塵装置を提供することである。
【課題を解決するための手段】
【００２０】
第１の発明は、載置エリアと処理エリアとを設け、上記載置エリアに載置した円筒もしくは円錐台部分を備えた処理対象物を上記処理エリアに搬送する搬送手段と、上記処理エリア上において、上記搬送手段の搬送方向に対して斜めに配置した回転用ガイドと、この回転用ガイドに沿うとともに、上記処理対象物の側面に圧縮エアを吹きつける複数のノズルとが備えられている。そして、上記搬送手段で搬送される上記処理対象物が上記回転用ガイドに接触することによって、上記搬送手段の搬送力と、上記回転用ガイドに対する上記処理対象物の摩擦力とが相まって、上記処理対象物に回転力を付与する構成にした除水または除塵装置を前提にしている。
【００２１】
また、上記処理エリア上において、上記回転用ガイドに対して上記処理対象物を挟んで平行に復帰用ガイドを設け、これら回転用ガイドと復帰用ガイドとの間隔は、上記処理対象物の直径よりもわずかな大きさが保持されたことを特徴としている。
なお、このわずかな大きさとは、上記回転用ガイドと上記復帰用ガイドとの間を移動する上記処理対象物が、これら両ガイドに同時に接触しない範囲であって、この範囲が狭ければ狭いほど良い。
【００２２】
第２の発明は、上記載置エリアには、上記処理対象物を上記載置エリアから上記処理エリアに向かって導く一対の集束用ガイドが設けられている。そして、上記一対の集束用ガイドは、上記搬送手段の移動方向の最上流における対向間隔を上記処理対象物の複数の直径以上にするとともに、下流側の対向間隔を狭くしている。さらに、上記処理対象物が上記載置エリアの上記集束用ガイドの下流端を通過したとき、上記処理対象物が上記回転用ガイドに接触して回転する構成にしたことを特徴としている。
【００２３】
第３の発明は、上記回転用ガイドには、上記回転用ガイドと上記処理対象物との接触部分に摩擦力を上げる摩擦部材が設けられたことを特徴としている。
【発明の効果】
【００２４】
第１の発明によれば、回転用ガイドから処理対象物が離れた場合であっても、復帰用ガイドに当たり、すぐに処理対象物が回転用ガイドとの接触状態に復帰できる。
また、回転用ガイドから離れる距離がわずかなので、処理対象物が無回転で搬送される距離を短くできる。
このように処理対象物は、その回転数が確保されるので、除水または除塵にムラがなくなり確実な処理ができるようになった。
【００２５】
第２の発明によれば、置載エリアに一対の集束用ガイドを設けたので、処理対象物を回転用ガイドの上記スタート位置に確実に導くことができる。このように処理対象物を上記スタート位置に導くことができるので、処理対象物の必要な回転が維持され、除水または除塵処理にムラが生じることがない。
【００２６】
また、作業者が手作業で処理対象物を置く必要がないので、作業者の労力を軽減できる。そして、処理対象物が自動的に上記スタート位置に置かれるので、載置時間が短縮でき、作業効率が良くなった。
さらに、この一対の集束用ガイドは、搬送手段の搬送方向の最上流における対向間隔を処理対象物の複数の直径以上にしているので、上流側に多くの処理対象物をランダムに置くことができる。このようにランダムに複数の処理対象物を置けるので、作業効率がさらに良くなった。
【００２７】
第３の発明によれば、上記回転用ガイドにおける処理対象物との接触部分に摩擦力を上げる摩擦部材が設けられたので、滑ることなく処理対象物を回転させることができる。
【図面の簡単な説明】
【００２８】
【図１】この実施形態の第２噴射ユニットを取り外した状態のネットコンベアの表面側から見た平面図である。
【図２】この実施形態の除水または除塵装置の搬送経路を拡大した断面図である。
【図３】この実施形態の第２噴射ユニットの天井面を見た平面図である。
【図４】従来の除水装置の斜視図である。
【図５】従来の除水装置の第２噴射ユニットを取り外した状態のネットコンベアの表面側から見た平面図である。
【図６】従来の除水装置において、処理対象物が回転用ガイドから離れたときの搬送状況を示した概略図である。
【発明を実施するための形態】
【００２９】
図１〜３に示すこの発明の実施形態は、缶やビンなどの円筒もしくは円錐台部分を備えた処理対象物Ｓを、その搬送過程で、上記処理対象物Ｓの表面の水分や塵埃を吹き飛ばすための装置である。
また、この実施形態の除水または除塵装置は、図４に示すように、基台４に、ネットコンベア１、第１噴射ユニット５、第２噴射ユニット７を備えている点は、この図４の従来の装置と同じである。したがって、以下の説明にも、図４を参照し、従来と同じ構成要素には同じ符号を用いるものとする。
【００３０】
この実施形態は、上記処理対象物Ｓを搬送する搬送手段として、図４に示すように、基台４にネットコンベア１を設けている。そして、このネットコンベア１は、図示しないモータなどの動力源によって回転する一対の回転体に、無端ベルトがかけ渡されている。この無端ベルトは、線状の金属で編まれており、圧縮エアや、水分、あるいは塵埃が無端ベルトを容易に通過できるように、その編み目が粗くなっている。
【００３１】
そして、このネットコンベア１は、図１に示すように、その上流に処理対象物Ｓを載置する載置エリア１１が設けられ、この載置エリア１１に連続して除水または除塵処理を行う処理エリア１２が設けられている。さらに、この処理エリア１２の下流側には、これに連続して、プラントの次の作業工程に処理対象物Ｓを誘導させる誘導エリア１３が設けられている。
【００３２】
上記載置エリア１１には、上記処理対象物Ｓを上記載置エリア１１から上記処理エリア１２に向かって導く一対の集束用ガイド１４，１５が設けられている。そして、これら一対の集束用ガイド１４，１５は、ネットコンベア１の表面２上方に設けられる。
この実施形態では、一方の集束用ガイド１４は、一本の直線状の棒部材として、後述する回転用ガイド３と連続している。また、他方の集束用ガイド１５は、一本の略Ｌ字状に曲げられた棒部材として、後述する復帰用ガイド１７と連続している。このように、各棒部材における上記載置エリア１１上の部分が、一対の集束用ガイド１４，１５として機能する。
【００３３】
そして、一対の集束用ガイド１４，１５は、上記ネットコンベア１の搬送方向の最上流で対向間隔を上記処理対象物Ｓの複数の直径以上にする一方、下流側の対向間隔を狭くしている。このように上流側を広くしているので、この上流側に多くの処理対象物Ｓをランダムに置くことができる。
さらに、これら一対の集束用ガイド１４，１５は、上記処理対象物Ｓが上記載置エリア１１の上記集束用ガイド１４，１５の下流端を通過したとき、後述する回転用ガイド３のスタート位置に上記処理対象物Ｓが接触するように設けられている。
【００３４】
また、この実施形態では、上記処理エリア１２のネットコンベア１の表面２上方には、処理対象物Ｓを回転させる回転用ガイド３が設けられている。この回転用ガイド３は、一本の直線状の棒部材として、上記一方の集束用ガイド１４に連続して設けられている。このように、上記棒部材における処理エリア１２上の部分が、回転用ガイド３として機能する。そして、この回転用ガイド３は、ネットコンベア１の搬送方向に対して斜めに交差している。
【００３５】
上記ネットコンベア１の載置エリア１１上に置かれた処理対象物Ｓは、ネットコンベア１に搬送されて、一対の集束用ガイド１４，１５を介して回転用ガイド３の所定のスタート位置に接触する。このスタート位置とは、上記処理対象物Ｓに必要な回転数を付与するための回転始点となる位置である。
【００３６】
そして、上記処理対象物Ｓが回転用ガイド３に接触すると、ネットコンベア１の搬送力によって、処理対象物Ｓが回転用ガイド３に押し付けられる。
この押し付けられた部分では、処理対象物Ｓと回転用ガイド３との間に摩擦力が生じる。その結果、ネットコンベア１の搬送力と、回転用ガイド３に対する処理対象物Ｓの摩擦力とが相まって、処理対象物Ｓは回転しながら回転用ガイド３に沿って搬送される。
【００３７】
この実施形態の上記回転用ガイド３には、上記回転用ガイド３と上記処理対象物Ｓとの接触部分に摩擦力を上げる摩擦部材１６が設けられている。この摩擦部材１６は、主にゴムやシリコーンなどが用いられる。
このように、摩擦部材１６が設けられたので、滑ることなく処理対象物Ｓを回転させることができる。
【００３８】
なお、ネットコンベア１の搬送方向に対して配置される回転用ガイド３の傾斜角は、処理対象物Ｓに必要な回転数と、除水処理をする距離とによって、相対的に決定される。
実際の装置では、除水処理をする距離は限られている。このような条件の中で、処理対象物Ｓの側面全体に圧縮エアが、少なくとも１回は当たるようにしている。
【００３９】
このような処理対象物Ｓの回転数は、処理対象物Ｓの外周に対応する回転用ガイド３の接触長さで決めることができる。そして、この回転用ガイド３の長さが決まれば、除水処理をする距離によって回転用ガイド３の配置する傾斜角が決まる。この傾斜角で処理対象物Ｓが確実に回転させられるネットコンベア１の速度が設定される。
この実施形態では、図１のように、処理対象物Ｓがネットコンベア１の表面２を、その幅方向の端から端に向かって移動するように、回転用ガイド３が斜めに設けられている。
【００４０】
また、この実施形態では、上記回転用ガイド３に対して上記処理対象物Ｓを挟んで平行に復帰用ガイド１７が設けられている。この復帰用ガイド１７は、一本の略Ｌ字状に曲げられた棒部材として、上記他方の集束用ガイド１５と連続している。このように、上記棒部材における上記処理エリア１２上の部分が、復帰用ガイド１７として機能する。
【００４１】
これら回転用ガイド３と復帰用ガイド１７との間隔は、上記処理対象物Ｓの直径よりもわずかな大きさが保持されている。
なお、このわずかな大きさとは、上記回転用ガイド３と上記復帰用ガイド１７との間を移動する処理対象物Ｓが、これら両ガイド３，１７に同時に接触しない範囲であって、この範囲が狭ければ狭いほど良い。
【００４２】
さらに、上記誘導エリア１３のネットコンベア１の表面２上方には、一方の誘導用ガイド１８と、他方の誘導用ガイド１９とが設けられている。
この実施形態では、一方の誘導用ガイド１８は、一本の棒部材として、上記回転用ガイド３に連続して設けられている。また、他方の誘導ガイド１９は、上記一方の誘導用ガイド１８と平行に、一本の棒部材として上記復帰用ガイド１７と連続して設けられている。このように、各棒部材における上記誘導エリア１３上の部分が、各誘導用ガイド１８，１９として機能する。
【００４３】
この一対の誘導用ガイド１８，１９は、例えば、次のように機能する。
処理エリア１２におけるネットコンベア１の搬送方向の距離は限られているので、その搬送方向の下流端では、処理対象物Ｓが幅方向の片側に寄ってしまっている。上記誘導用ガイド１８，１９がない状態では、そのまま搬送されてしまうので、プラントの次の作業工程に受け渡す際に、処理対象物Ｓが端に寄りすぎて支障がある場合がある。このような場合には、一対の誘導用ガイド１８，１９によって、処理対象物Ｓをネットコンベア１の幅方向の中央に誘導するようにしている。
【００４４】
また、上記ネットコンベア１の処理エリア１２では、図４に示すように、ネットコンベア１の下方から表面２に向かって圧縮エアを噴射する第１噴射ユニット５が上記基台４に組み込まれている。
この第１噴射ユニット５には、図１に示すように、複数の下側ノズル６が備えられており、これら下側ノズル６が、上記した回転用ガイド３によって誘導される移動方向に沿って整列している。
【００４５】
また、上記基台４には、図４に示すように、この基台４に対して開閉可能にした第２噴射ユニット７が設けられている。
そして、この第２噴射ユニット７を基台４に対して閉じたとき、ネットコンベア１の表面２と第２噴射ユニット７の天井面８とが対向する。この天井面８には、ネットコンベア１の上方から圧縮エアを噴射する複数の上側ノズル９が設けられている。これら複数の上側ノズル９と複数の上記下側ノズル６とは、上下において対向し、処理対象物Ｓの搬送経路に沿って設けられる。
【００４６】
また、第２噴射ユニット７の上記天井面８からは、上側ノズル９とは別の横方向ノズル１０が設けられている。
この横方向ノズル１０は回転用ガイド３とほぼ平行であって、搬送される処理対象物Ｓを挟むように搬送経路の両側に取り付けられている。この横方向ノズル１０は、上記天井面８に設けられた四角柱状の管部材２０の先端近傍に取り付けられており、横方向ノズル１０の開口が搬送される処理対象物Ｓの側面に向けられる。
【００４７】
なお、上記下側ノズル６，上側ノズル９，及び横方向ノズル１０は、それらの開口を処理対象物Ｓに直接向けるストレートノズルと、圧縮エアが供給されたとき開口を自動的に回転させるスピンノズルとが組み合わされて使用される。ただし、処理対象物Ｓの形状などによっては、上記ストレートノズルのみや、上記スピンノズルのみを使用してもよい。
【００４８】
また、各噴射ユニット５，７に備えられるこれらのノズル位置や、ノズルの数は、処理対象物Ｓの形状や大きさ、重さ等に応じて決められる。さらに、これらのノズルの開口が処理対象物Ｓに近ければ近いほど、除水または除塵効果が高くなる。
そして、これらのノズルは、図示されないブロアに接続されており、このブロアによって圧縮エアが各ノズルから噴出される。
【００４９】
さらに、図２に示すように、この実施形態の処理エリア１１には、上記回転用ガイド３に沿って移動する上記処理対象物Ｓの上方に、上記処理対象物Ｓと非接触を保った転倒防止ガイド２１が設けられている。
この転倒防止ガイド２１は、処理対象物Ｓの通常の搬送状態では非接触を保っているが、処理対象物Ｓが転倒しそうになったときに、処理対象物Ｓの上部が転倒防止ガイド２１に接触できるように設けられている。
【００５０】
この転倒防止ガイド２１は、図３に示すように、複数の窓２２を設けた板部材２３に、その長手方向に所定の間隔を保った複数のローラ２４を回転可能に設けている。また、この転倒防止ガイド２１は、上側ノズル９を囲むように第２噴射ユニット７の天井面８に取り付けられる。上記複数のローラ２４は、上記処理対象物Ｓの移動方向に沿って整列している。
そして、上側ノズル９の開口から噴出される圧縮エアは、上記転倒防止ガイド２１の複数の窓２２と隣接するローラ２４の隙間とを通過して、上記処理対象物Ｓの上面に吹きつけられる。
【００５１】
このような転倒防止ガイド２１は、処理対象物Ｓが転倒しそうになった場合に、処理対象物Ｓの上部が転倒防止ガイド２１に接触するので、処理対象物Ｓの転倒を防止できる。
特に、この転倒防止ガイド２１は、軽い処理対象物Ｓに有効である。処理対象物Ｓが軽い場合には、下方からの圧縮エアの風圧で、上記処理対象物Ｓが浮き上がることがある。このように、処理対象物Ｓの浮き上がりを防止し、処理対象物Ｓが転倒しないようにしている。
【００５２】
また、上記転倒防止ガイド２１には複数のローラ２４を設けているので、処理対象物Ｓが転倒防止ガイド２１に接触しても、ローラ２４が回転して摩擦を少なくすることができる。このように、処理対象物Ｓと転倒防止ガイド２１との摩擦が少ないので、上記処理対象物Ｓの搬送の妨げにならない。
【００５３】
次に、この実施形態の使用方法を説明する。
プラントの作業工程で水洗い等の処理がされた処理対象物Ｓが搬送されてくると、ネットコンベア１の上流側の載置エリア１１上に、処理対象物Ｓがランダムに載せられる。この載置作業は、機械によって自動的に載置されても良いし、あるいは、作業者が手作業で載置しても良い。
このように、ランダムに載置された複数の処理対象物Ｓは、ネットコンベア１に搬送され、一対の集束用ガイド１４，１５に沿って順次誘導される。
【００５４】
上記処理エリア１２に到達した処理対象物Ｓは、その回転始点となるスタート位置で回転用ガイド３と接触する。回転用ガイドと接触した処理対象物Ｓは、その後、回転しながら回転用ガイド３が導く搬送方向に搬送される。
そして、上記下側ノズル６，上側ノズル９，横方向ノズル１０から噴射される圧縮エアが、回転する処理対象物Ｓの上下面あるいは側面全部に当たって、その表面に付着している水分や塵埃を吹き飛ばすようにしている。
【００５５】
この実施形態では、このネットコンベア１の表面２は凹凸が激しく、この表面２上を処理対象物Ｓが回転しながら搬送される。そのため、上記処理対象物Ｓは、不安定な状況に置かれている。加えて、回転用ガイド３に沿った搬送経路の両側から圧縮エアが不規則に吹きかけられるので、上記処理対象物Ｓが容易に回転ガイド３から離れてしまうことがあった。
【００５６】
しかし、この実施形態によれば、回転用ガイド３から処理対象物Ｓが離れた場合であっても、復帰用ガイド１７に当たり、すぐに処理対象物Ｓが回転用ガイド３との接触状態に復帰できる。
また、回転用ガイド３から離れる距離がわずかなので、処理対象物Ｓが無回転で搬送される距離を短くできる。
このように処理対象物Ｓは、その回転数が確保されるので、除水または除塵にムラがなくなり確実な処理ができるようになった。
【００５７】
また、上記復帰用ガイド１７は、処理対象物Ｓを除水または除塵処理の搬送経路から、外れることも防止している。
特に、処理対象物Ｓが軽い場合には、その搬送過程で複雑に圧縮エアが吹きつけられるので、処理対象物Ｓが不規則な方向にずれて、搬送経路から外れてしまう場合がある。しかし、この実施形態では、復帰用ガイド１７が設けられているので、処理対象物Ｓが搬送経路から外れることがない。
【００５８】
さらに、この実施形態によれば、載置エリア１１に一対の集束用ガイド１４，１５を設けたので、処理対象物Ｓを回転用ガイド３の上記スタート位置に確実に導くことができる。このように処理対象物Ｓを上記スタート位置に導けるので、処理対象物Ｓの必要な回転数が維持され、除水または除塵処理にムラが生じることがない。
【００５９】
また、作業者が手作業で処理対象物Ｓを置く必要がないので、作業者の労力を軽減できる。そして、処理対象物Ｓが自動的にスタート位置に置かれるので、載置時間が短縮でき、作業効率が良くなった。加えて、載置エリア１１に、複数の処理対象物Ｓをランダムに置けるので、さらに効率が良くなった。
【００６０】
なお、この実施形態では、一方の集束用ガイド１４，回転用ガイド３，一方の誘導用ガイド１８は、連続した一本の棒部材で形成されているが、それぞれが分かれた部材で構成されていても良い。これは、他方の集束用ガイド１５，復帰用ガイド１７，他方の誘導用ガイド１９についても同じである。
【００６１】
また、この実施形態では、この上記転倒防止ガイド２１は、複数のローラ２４を用いているが、転倒防止用に上記処理対象物Ｓの上部に接触することができれば、どのような形状でもかまわない。例えば、板状や棒状の部材でも良い。さらに、上記転倒防止ガイド２１は、処理エリア１２上の第２噴出ユニット７の天井面８に設けられているが、載置エリア１１、あるいは誘導エリア１３上に設けられても良い。
【００６２】
そして、この実施形態では、横方向ノズル１０は、処理対象物Ｓの搬送経路の両側に設けられているが、上記搬送経路のいずれか一方の側に設けた構成でも良い。除水または除塵処理に必要とされる処理対象物Ｓの回転数が得られれば、横方向ノズル１０の配置はいずれか一方の側だけでも処理できる。
【００６３】
また、除水または除塵の処理能力は、処理対象物Ｓの形状等や、ブロアの送風能力、ノズルの数、あるいはネットコンベア１の速さなどが複合的に組み合わされて決められる。処理対象物Ｓに応じて、最適な実施形態が選択される。
【産業上の利用可能性】
【００６４】
缶やビンなどの円筒もしくは円錐台部分を備えた処理対象物の表面に付着した水分や塵埃を、除水または除塵することに適用可能である。
【符号の説明】
【００６５】
Ｓ…処理対象物、１…ネットコンベア、２…表面、３…回転用ガイド、５…第１噴射ユニット、６…下側ノズル、７…第２噴射ユニット、９…上側ノズル、１０…横方向ノズル、１１…載置エリア、１２…処理エリア、１３…誘導エリア、１４，１５…集束用ガイド、１６…摩擦部材、１７…復帰用ガイド、１８，１９…誘導用ガイド、２１…転倒防止ガイド
【図１】
2019025386.tif 000003
【図２】
2019025386.tif 000004
【図３】
2019025386.tif 000005
【図４】
2019025386.tif 000006
【図５】
2019025386.tif 000007
【図６】
2019025386.tif 000008
【手続補正書】
【提出日】平成30年10月12日(2018.10.12)
【手続補正１】
【補正対象書類名】明細書
【補正対象項目名】００１４
【補正方法】変更
【補正の内容】
【００１４】
なお、上記下側ノズル６，上側ノズル９，及び横方向ノズル１０は、それらの開口を処理対象物Ｓに直接向けるストレートノズルと、圧縮エアが供給されたとき開口を自動的に回転させる旋回ノズルとが組み合わされて使用される。ただし、処理対象物Ｓの形状などによっては、上記旋回ノズルのみを使用してもよい。
【手続補正２】
【補正対象書類名】明細書
【補正対象項目名】００４７
【補正方法】変更
【補正の内容】
【００４７】
なお、上記下側ノズル６，上側ノズル９，及び横方向ノズル１０は、それらの開口を処理対象物Ｓに直接向けるストレートノズルと、圧縮エアが供給されたとき開口を自動的に回転させる旋回ノズルとが組み合わされて使用される。ただし、処理対象物Ｓの形状などによっては、上記ストレートノズルのみや、上記旋回ノズルのみを使用してもよい。